(57)【特許請求の範囲】
【請求項１】
前面に開口を有し周囲を断熱壁にて構成する下陳列室及び該下陳列室の上方に位置する上陳列室を構成して成るショーケースにおいて、
前記上陳列室の前面開口を開閉自在に閉塞する引き戸式の上扉と、
前記上陳列室の開口下縁に設けられ、前記上扉の下端が移動自在に係合される上扉用下レールと、
前記下陳列室の前面開口を開閉自在に閉塞すると共に、上部から後方に延在する上面を備えた引き戸式の下扉と、
前記上下陳列室間の前記断熱壁前面に設けられ、前記下扉の上面後端が移動自在に係合される下扉用上レールと、
該下扉用上レールの上側における前記断熱壁前面にネジ止めされ、前記下扉の前記下扉用上レールからの外れを阻止するための外れ防止部材と、
該外れ防止部材を前側から隠蔽するカバーを備えたことを特徴とするショーケース。
【請求項２】
前記カバーの上部は前記上扉用下レールに係合されると共に、前記カバーの下部は前記外れ防止部材の下側からネジ止めされることを特徴とする請求項１のショーケース。
【請求項３】
前記カバーの上部は前記上扉用下レールに係合されると共に、前記カバーの下部は前記外れ防止部材に係合されることを特徴とする請求項１のショーケース。
【請求項４】
前記外れ防止部材は、前記下扉側に突出する突起を備え、前記下扉の移動時、前記突起が当該下扉の上面後端より前側に当接することを特徴とする請求項１、請求項２又は請求項３のショーケース。
【発明の詳細な説明】
【０００１】
【発明の属する技術分野】
本発明は、前面に開口を有し周囲を断熱壁にて構成する下陳列室及び該下陳列室の上方に位置する上陳列室を構成して成るショーケースに関するものである。
【０００２】
【従来の技術】
この種の従来のショーケースは、前面に開口を有し周囲を断熱壁にて構成する陳列室が構成されており、この陳列室は、断熱仕切板などによって、上陳列部及び下陳列部に区画されている。そして、この陳列室の前面は、例えばガラス扉などの透明な扉によって開閉自在に閉塞されている。また、それぞれの陳列部内には、商品を陳列するための棚が複数段形成されており、係る棚上に商品を陳列することによって顧客に商品のアピールを行っていた。
【０００３】
このとき、下陳列室に陳列された商品を効果的に陳列するため、下陳列室の前面開口を開閉自在に閉塞する下扉は、上部から後方に延在するようにガラス扉に曲げ加工が施されており、下扉の上部には、上面が形成されていた。
【０００４】
【発明が解決しようとする課題】
しかしながら、上面に曲げ加工が施されたガラス扉は、下扉の上レールとの摺動面をなめらかに加工することが困難であり、若干の凹凸が生じている。そのため、上レールとガラス扉との摺動面が面接触となり、扉の開閉が困難であると共に、下扉を摺動すると、扉が前方に外れ落ちる問題があった。
【０００５】
そこで、下扉の上レールに扉外れ防止部材を取り付けることが考えられるが、ショーケースの前面にネジ止めなどにより固定されていたため、外観が損なわれるという問題があった。
【０００６】
そこで、本発明は従来の技術的課題を解決するために成されたものであり、下扉の摺動を容易とすると共に、ショーケースの外観を向上させるショーケースを提供することを目的とする。
【０００７】
【課題を解決するための手段】
本発明のショーケースは、前面に開口を有し周囲を断熱壁にて構成する下陳列室及び該下陳列室の上方に位置する上陳列室を構成して成るものであって、上陳列室の前面開口を開閉自在に閉塞する引き戸式の上扉と、上陳列室の開口下縁に設けられ、上扉の下端が移動自在に係合される上扉用下レールと、下陳列室の前面開口を開閉自在に閉塞すると共に、上部から後方に延在する上面を備えた引き戸式の下扉と、上下陳列室間の断熱壁前面に設けられ、下扉の上面後端が移動自在に係合される下扉用上レールと、該下扉用上レールの上側における断熱壁前面にネジ止めされ、下扉の下扉用上レールからの外れを阻止するための外れ防止部材と、該外れ防止部材を前側から隠蔽するカバーを備えたことを特徴とする。
【０００８】
本発明によれば、前面に開口を有し周囲を断熱壁にて構成する下陳列室及び該下陳列室の上方に位置する上陳列室を構成して成るショーケースにおいて、上陳列室の前面開口を開閉自在に閉塞する引き戸式の上扉と、上陳列室の開口下縁に設けられ、上扉の下端が移動自在に係合される上扉用下レールと、下陳列室の前面開口を開閉自在に閉塞すると共に、上部から後方に延在する上面を備えた引き戸式の下扉と、上下陳列室間の断熱壁前面に設けられ、下扉の上面後端が移動自在に係合される下扉用上レールと、該下扉用上レールの上側における断熱壁前面にネジ止めされ、下扉の下扉用上レールからの外れを阻止するための外れ防止部材と、該外れ防止部材を前側から隠蔽するカバーを備えたので、ショーケースの前面から、下扉の下扉用上レールからの外れを阻止するための外れ防止部材の固定するネジをカバーにて隠蔽することができるようになり、ショーケースの外観を向上させることができるようになる。
【０００９】
請求項２の発明のショーケースは、請求項１の発明に加えて、カバーの上部は上扉用下レールに係合されると共に、カバーの下部は外れ防止部材に下側からネジ止めされることを特徴とする。
【００１０】
請求項２の発明によれば、請求項１の発明に加えて、カバーの上部は上扉用下レールに係合されると共に、カバーの下部は外れ防止部材に下側からネジ止めされるので、ショーケースの前面から外れ防止部材を固定するネジが視認されないため、ショーケースの外観をより一層向上させることができるようになる。
【００１１】
請求項３の発明のショーケースは、請求項１の発明に加えて、カバーの上部は上扉用下レールに係合されると共に、カバーの下部は外れ防止部材に係合されることを特徴とする請求項１のショーケース。
【００１２】
請求項３の発明によれば、請求項１の発明に加えて、カバーの上部は上扉用下レールに係合されると共に、カバーの下部は外れ防止部材に係合されるので、容易にカバーを固定することができるようになり、取付作業性を向上させることができるようになる。また、ショーケース外観から、ネジ止め等による固定具が視認されないため、外観をより一層向上させることができるようになる。
【００１３】
請求項４の発明のショーケースは、請求項１、請求項２又は請求項３の発明に加えて、外れ防止部材は、下扉側に突出する突起を備え、下扉の移動時、突起が当該下扉の上面後端より前側に当接することを特徴とする。
【００１４】
請求項４の発明によれば、請求項１、請求項２又は請求項３の発明に加えて、外れ防止部材は、下扉側に突出する突起を備え、下扉の移動時、突起が当該下扉の上面後端より前側に当接するので、下扉の摺動時に、突起が扉上面と線接触し、摺動時に生じる抵抗を小さくすることができ、扉の開閉を容易に行うことができるようになる。そのため、上部から後方に延在する上面を備えた引き戸式の下扉が、ガラス等を湾曲して形成する際に生じる加工面の凹凸があった場合でも、扉の開閉を容易に行うことができるようになる。
【００１５】
【発明の実施の形態】
以下、図面に基づいて本発明の実施形態を詳述する。図１は本発明を適用したショーケース１の正面図、図２はショーケース１の縦断側面図を示している。ショーケース１は、駅の売店やコンビニエンスストアなどに設置される冷却／加温ショーケースであり、前面に開口を有する断熱箱体（断熱壁）２及び側板２８、２８より本体が構成されている。この断熱箱体２は前面に開口する鋼板製の外箱３と、この外箱３内に間隔を存して組み込まれた前面に開口する鋼板若しくは硬質合成樹脂製の内箱４と、外箱３及び内箱４間に発泡充填された発泡ポリウレタンから成る断熱材５とから構成されている。
【００１６】
そして、内箱４内方の例えば中央よりやや上方には、断熱箱体２の前方から後方に渡って断熱仕切板１０が形成されており、係る断熱仕切板１０の上方には上陳列室６が形成され、断熱仕切板１０の下方には下陳列室１１が形成されている。この断熱仕切板１０の前端は、前記断熱箱体２の天井部を構成する天壁２Ａの前端よりも後部に位置しており、この天壁２Ａの前端は少許後部下方に向けて傾斜して形成されている。
【００１７】
また、上陳列室６に対応する断熱箱体２の背面には、後面開口１２が形成されており、係る後面開口１２は、透視可能とされる引き戸式のガラス扉１３、１４によって開閉自在に閉塞されている。また、下陳列室１１に対応する断熱箱体２の背面には、後面開口１５が形成されており、係る後面開口１５は、同じく透視可能とされる引き戸式のガラス扉１６、１７によって開閉自在に閉塞されている。
【００１８】
また、上陳列室６に対応する断熱箱体２の前面には、天壁２Ａの前端及び断熱仕切板１０の前端によって囲繞される前面開口７が形成されている。係る前面開口７上縁には、上扉用上レール７０、７０が設けられていると共に、前面開口７下縁には、上扉用下レール７１、７１が設けられている。これら上扉用上レール７０、７０及び上扉用下レール７１、７１には、透視可能とされる引き戸式の上扉８、９が摺動可能に取り付けられている。これにより、開口７は、上扉８、９によって開閉自在に閉塞されている。ここで、断熱仕切板１０の前端は、上述の如く断熱箱体２の天壁２Ａの前端よりも後部に位置しているため、係る上扉８、９は、前方上部から後方下部に向けて所定の角度で傾斜して前面開口７に設けられる。
【００１９】
これにより、上陳列室６内に陳列された商品を取り出す際に、上扉８、９の下部を持って開閉することができ、商品の取り出しを容易に行うことができるようになる。また、商品の収納を行う際においても、同じく上扉８、９の下部を持って開閉することができ、効率よく商品の収納を行うことができるようになる。
【００２０】
一方、下陳列室１１に対応する断熱箱体２の前面開口２５上縁には、下扉用上レール７２、７２が設けられていると共に、前面開口２５下縁には、下扉用下レール７３、７３が設けられている。これら下扉用上レール７２、７２及び下扉用下レール７３、７３には、透視可能とされる引き戸式の上扉２６、２７が摺動可能に取り付けられている。これにより前面開口２５は、下扉２６、２７によって開閉自在に閉塞されている。この下扉２６、２７は、前面２６Ａ、２７Ａと係る前面２６Ａ、２７Ａの上部から後方に延在する上面２６Ｂ、２７Ｂとにより形成されている。そして、この前面２６Ａ、２７Ａ上部と上面２６Ｂ、２７Ｂとは、所定曲率にて湾曲形状とされている。
【００２１】
これにより、下陳列室１１内は下扉２６、２７の上面２６Ｂ、２７Ｂより視認することができるようになり、商品の陳列性能を向上させることができるようになる。そのため、顧客は、下陳列室１１内に陳列された商品を見るために、腰を屈めるなど姿勢を変えるなどの煩わしい行動をとることなく、下陳列室１１内の商品を視認することができるようになる。
【００２２】
一方、上陳列室６内には、前部より後部が高く傾斜する棚２０が複数段架設されており、これらの棚２０の前端には、商品を保持するための商品保持部材１９が形成されている。また、この商品保持部材１９には、係る棚２０上に陳列される商品のプライス等を表示するための掲示部材が設けられているものとする。
【００２３】
これにより、上陳列室６に陳列される商品をショーケース１の前部下方、即ち、顧客方向に向けて陳列することができるようになる。また、ショーケース１の前面から上陳列室６に載置された商品を容易に把握することができるようになる。更に、商品の所謂フェイス面を前部下方に向けてアピールすることによりディスプレイ効果を向上させることができるようになり、顧客の購買意欲を増加させることができるようになる。
【００２４】
また、上陳列室６内に架設される最下段の棚２０の下方には、前記断熱仕切板１０上面との間に上陳列室６の冷却室２１が形成されている。この冷却室２１内には、別置きで設置される図示しない圧縮機及び凝縮器等と所謂冷凍サイクルを構成する冷却装置の冷却器が設置されている。そして、この冷却器の近傍には、この冷却器２２冷却された冷気を上陳列室６内に吐出するための送風機が設置されている。また、棚２０には、図示しない電気ヒータが設置されている。
【００２５】
以上の構成により、上陳列室６内を低温として使用する際には、図示しないコントロールパネルを操作することにより、上陳列室６内の冷却を行う。これにより、別置きとされた圧縮機が運転されることにより冷却室２１に設置された冷却器が冷却され、係る冷却器によって、冷却室２１の空気が冷却される。また、前記送風機が運転されることにより、冷却器によって冷却された冷気は、上陳列室６内に吐出される。上陳列室６内に吐出された冷気は上陳列室６内を循環した後、最下段の棚２０の前端から冷却室２１内に帰還する。これによって、上陳列室６内は所定の温度に冷却される。
【００２６】
また、上陳列室６内を加温として使用する際には、コントロールパネルを操作することにより、前記電気ヒータによって上陳列室６内の加温を行う。これにより、上陳列室６内は、所定の温度に加温される。
【００２７】
尚、上陳列室６と下陳列室１１とは、断熱仕切板１０によって区画されているため、両陳列室６、１１から生じる熱の移動は無いものとする。
【００２８】
一方、下陳列室１１内には、例えば略中央に前方から後方に渡って、仕切部材としての断熱仕切棚５４が設けられている。これにより、下陳列室１１には、断熱仕切棚５４より上方に上陳列部３１が形成され、断熱仕切棚５４より下方に下陳列部３２が形成される。上陳列部３１及び下陳列部３２内には、それぞれ棚３３が架設されている。また、これらの棚３３の前端には、前記棚２０と同様に商品を保持するための商品保持部材３４が形成されており、係る棚３３上に陳列される商品のプライス等を表示するための掲示部材が設けられているものとする。
【００２９】
一方、下陳列室１１の下陳列部３２の底部には、断熱箱体２の底部と所定の間隔を存してデックパン６１が設けられおり、このデックパン６１の下方には、断熱箱体２の底部との間に下陳列室１１の冷却室３７が形成されている。この冷却室３７内には、別置きで設置される図示しない圧縮機及び凝縮器等と所謂冷凍サイクルを構成する冷却装置の冷却器３８が設置されている。そして、この冷却器３８の近傍には、係る冷却器３８にて冷却された冷気を下陳列室１１内に吐出するための送風機３９が設置されている。
【００３０】
次に、図２及び図３を参照して、本発明の下扉２６、２７の外れ防止構造について説明する。図３は上扉８、９及び下扉２６、２７の部分拡大縦断側面図である。ここで、上陳列室６の開口７及び下陳列室１１の開口２５構成する前記断熱仕切体１０の前端は、図３に示す如く略直角に上方に延在した垂直面１０Ａが形成された後、更に略直角に前方に延在した前端部１０Ｂが形成されている。そして、この断熱仕切体１０の前端部１０Ｂは、前方から後方に向けて少許高く傾斜して形成されている。
【００３１】
この断熱仕切体１０の前端部１０Ｂには、前記上扉用下レール７１、７１が形成される上扉用下レール部材７５が左右に渡って設けられている。この上扉用下レール部材７５は、上方に開口する断面略コ字状を呈しており、係る開口面に前記上扉用下レール７１、７１が形成されている。また、断熱仕切体１０の垂直面１０Ａと前端部１０Ｂに囲繞される断熱仕切体１０の前端には、前方に開口する断面略コ字状の下扉用上レール部材７６が左右に渡って設けられている。この下扉用上レール部材７６の前面には、左右に渡って仕切体７６Ａが形成されており、これにより、下扉用上レール部材７６前面に上下に下扉用上レール７２、７２が形成されている。
【００３２】
一方、下扉２６、２７の上部後端は、それぞれ下扉用上レール７２、７２に摺動自在に嵌合されるように、外周に渡ってサッシュ７７、７８が取り付けられている。そのため、下扉２６、２７を下扉用上レール７２、７２に取り付けた際に、サッシュ７７、７８は、断熱仕切体１０の前端部１０Ｂの前端と略面一となる。
【００３３】
下扉用上レール７２、７２の上側における断熱仕切体１０の前端部１０Ｂの前面には、断面略Ｌ字状の外れ防止部材８０が取り付けられる。この外れ防止部材８０は、左右に渡って延出して形成されていると共に、下扉２６側に突出する突起８２が形成されている。
【００３４】
また、この外れ防止部材８０の前方には、所定曲率で後方に湾曲して設曲されると共に、可撓性を有する硬質合成樹脂にて形成されるカバー８１が取り付けられる。このカバー８１の上部後端は、後方下側に略直角に折曲された係支部８１Ａが形成されていると共に、カバー８１の下端は、後方に略直角に折曲された保持部８１Ｂが形成されている。また、この保持部８１Ｂには、左右に渡って複数の図示しない係合孔が形成されているものとする。
【００３５】
以上の構成により、外れ防止部材８０及びカバー８１を取り付ける際には、先ず、断熱仕切体１０の前端部１０Ｂの前面に、外れ防止部材８０を宛い、前面からネジ９０にてネジ止めすることにより外れ防止部材８０を固定する。次いで、カバー８１の係支部８１Ａを前記上扉用下レール部材７５の前端に上方から挿入し、係止させる。その後、カバー８１の下端の保持部８１Ｂを前方から外れ防止部材８０の下面に沿って挿入する。下扉２６、２７を一側に移動させ、下側からネジ９１にてカバー８１の保持部８１Ｂと外れ防止部材８０を共締めにて固定する。
【００３６】
これにより、下扉２６を開閉動作により下扉用上レール７２に摺動させた場合であったも、下扉２６のサッシュ７７が、外れ防止部材８０に当接され、下扉用上レール７２から下扉２６が外れることを阻止することができるようになる。
【００３７】
また、外れ防止部材８０の下面には、突起８２が形成されているため、下扉２６の移動時、突起８２が下扉２６の上面後端より前側に当接するので、下扉２６の摺動時に、突起８２が扉２６上面と線接触し、摺動時に生じる抵抗を小さくすることができ、扉２６の開閉を容易に行うことができるようになる。そのため、上部から後方に延在する上面を備えた引き戸式の下扉２６が、ガラス等を湾曲して形成する際に生じる加工面の凹凸があった場合でも、扉２６の開閉を容易に行うことができるようになる。
【００３８】
また、外れ防止部材８０の前面にカバー８１が設けられるため、下扉２６の下扉用上レール７２からの外れを阻止するための外れ防止部材８０を固定するネジ９０をカバー８１にて隠蔽することができるようになり、ショーケース１の外観を向上させることができるようになる。
【００３９】
更に、カバー８１の下部は外れ防止部材８０に下側からネジ９１にてネジ止めされるので、ショーケース１の前面から外れ防止部材８０を固定するネジ９０が視認されないため、ショーケース１の外観をより一層向上させることができるようになる。
【００４０】
また、この他に、カバー８１の保持部８１Ｂをネジ止めにて外れ防止部材８０に固定することなく、前方からカバー８１を外れ防止部材８０に挿入することにより、カバー８１の可撓性により、カバー８１を保持しても良い。この場合、特に、固定具を必要としないため、取付作業性を向上させることができるようになると共に、ショーケース１外観から、ネジ止め等による固定具（ネジ９０）が視認されないため、外観をより一層向上させることができるようになる。
【００４１】
【発明の効果】
以上詳述した如く本発明によれば、前面に開口を有し周囲を断熱壁にて構成する下陳列室及び該下陳列室の上方に位置する上陳列室を構成して成るショーケースにおいて、上陳列室の前面開口を開閉自在に閉塞する引き戸式の上扉と、上陳列室の開口下縁に設けられ、上扉の下端が移動自在に係合される上扉用下レールと、下陳列室の前面開口を開閉自在に閉塞すると共に、上部から後方に延在する上面を備えた引き戸式の下扉と、上下陳列室間の断熱壁前面に設けられ、下扉の上面後端が移動自在に係合される下扉用上レールと、該下扉用上レールの上側における断熱壁前面にネジ止めされ、下扉の下扉用上レールからの外れを阻止するための外れ防止部材と、該外れ防止部材を前側から隠蔽するカバーを備えたので、ショーケースの前面から、下扉の下扉用上レールからの外れを阻止するための外れ防止部材の固定するネジをカバーにて隠蔽することができるようになり、ショーケースの外観を向上させることができるようになる。
【００４２】
請求項２の発明によれば、請求項１の発明に加えて、カバーの上部は上扉用下レールに係合されると共に、カバーの下部は外れ防止部材に下側からネジ止めされるので、ショーケースの前面から外れ防止部材を固定するネジが視認されないため、ショーケースの外観をより一層向上させることができるようになる。
【００４３】
請求項３の発明によれば、請求項１の発明に加えて、カバーの上部は上扉用下レールに係合されると共に、カバーの下部は外れ防止部材に係合されるので、容易にカバーを固定することができるようになり、取付作業性を向上させることができるようになる。また、ショーケース外観から、ネジ止め等による固定具が視認されないため、外観をより一層向上させることができるようになる。
【００４４】
請求項４の発明によれば、請求項１、請求項２又は請求項３の発明に加えて、外れ防止部材は、下扉側に突出する突起を備え、下扉の移動時、突起が当該下扉の上面後端より前側に当接するので、下扉の摺動時に、突起が扉上面と線接触し、摺動時に生じる抵抗を小さくすることができ、扉の開閉を容易に行うことができるようになる。そのため、上部から後方に延在する上面を備えた引き戸式の下扉が、ガラス等を湾曲して形成する際に生じる加工面の凹凸があった場合でも、扉の開閉を容易に行うことができるようになる。
【図面の簡単な説明】
【図１】本発明のショーケースの正面図である。
【図２】本発明のショーケースの縦断側面図である。
【図３】断熱仕切板前端の拡大縦断側面図である。
【符号の説明】
１  ショーケース
６  上陳列室
７、２５  前面開口
８、９  上扉
１０  断熱仕切板
１１  下陳列室
２６、２７  下扉
７０  上扉用上レール
７１  上扉用下レール
７２  下扉用上レール
７３  下扉用下レール
７５  上扉用上レール部材
７６  下扉用上レール部材
７７、７８  サッシュ
８０  外れ防止部材
８１  カバー
８１Ａ  係支部
８１Ｂ  保持部
８２  突起
９０、９１  ネジ
【図１】
0004771606.tif 000002
【図２】
0004771606.tif 000003
【図３】
0004771606.tif 000004